(57)【要約】      （修正有）【課題】複数の演奏操作子のパラメータ値を簡単な操作で個別に設定することが可能な電子打楽器およびそのパラメータ値の設定方法を提供する。【解決手段】電子打楽器の感度値設定処理部１００において、入力情報取得部１１０は、演奏操作部２の各演奏操作子の操作に基づいて検出回路３から出力される検出値を入力情報として取得する。有効入力情報判定部１２０は、入力情報取得部１１０により取得された入力情報が有効入力情報であるか否かを判定する。設定対象判定部１３０は、有効入力情報判定部１２０の判定結果に基づいて感度値の設定対象となる演奏操作子を対象演奏操作子として判定する。感度値取得部１６０は、設定操作部４のダイヤルにより調整された感度値を取得する。感度値設定部１７０は、感度値取得部１６０により取得された感度値を設定対象判定部１３０により判定された対象演奏操作子の感度値として設定する。【選択図】図３
2018097156.tif 000002
【特許請求の範囲】
【請求項１】
複数の演奏操作子と、
前記複数の演奏操作子への各々の操作を入力情報として検出する検出手段と、
検出された入力情報に基づいて、操作された演奏操作子を当該演奏操作子に関するパラメータ値の設定対象とするか否かを判定する判定手段と、
演奏操作子に関するパラメータ値を受け付ける受付手段と、
受け付けられたパラメータ値を前記設定対象とされた演奏操作子のパラメータ値として設定する設定手段とを備える、電子打楽器。
【請求項２】
前記入力情報は、演奏操作子への操作の強さを示す情報である、請求項１記載の電子打楽器。
【請求項３】
前記判定手段は、前記入力情報により示される強さが第１の基準以上である場合に前記入力情報に基づく発音指示を生成し、前記入力情報により示される強さが前記第１の基準よりも高い第２の基準以上である場合に操作された演奏操作子を当該演奏操作子に関するパラメータ値の設定対象と判定する、請求項２記載の電子打楽器。
【請求項４】
前記複数の演奏操作子についてそれぞれ設定されたパラメータ値の組を記憶する記憶手段をさらに備える、請求項１〜３のいずれか一項に記載の電子打楽器。
【請求項５】
複数の演奏操作子を備えた電子打楽器のパラメータ値設定方法であって、
前記複数の演奏操作子への各々の操作を入力情報として検出するステップと、
検出された入力情報に基づいて、操作された演奏操作子を当該演奏操作子に関するパラメータ値の設定対象とするか否かを判定するステップと、
演奏操作子に関するパラメータ値を受け付けるステップと、
受け付けられたパラメータ値を前記設定対象とされた演奏操作子のパラメータ値として設定するステップとを含む、電子打楽器のパラメータ値設定方法。
【発明の詳細な説明】
【技術分野】
【０００１】
本発明は、複数の演奏操作子を備えた電子打楽器およびその電子打楽器のパラメータ値設定方法に関する。
【背景技術】
【０００２】
電子ドラムキット等の電子打楽器は、複数のパッド等の演奏操作子を有する。このような電子打楽器では、使用者は、スイッチおよびダイヤルを用いて複数の演奏操作子の感度を調整および設定することができる。特許文献１には、複数のパッドの感度および音色の設定を一括して行うことができる電子打楽器が記載されている。
【先行技術文献】
【特許文献】
【０００３】
【特許文献１】特許第５４２８５６７号公報
【発明の概要】
【発明が解決しようとする課題】
【０００４】
上記の特許文献１に記載された電子打楽器では、各パッドの感度値を個別にかつ簡単な操作で設定することができない。他の従来の電子打楽器において、各パッドの感度値を個別に設定するためには、選択用スイッチおよび設定用スイッチを操作することにより各パッドの感度値を設定する必要がある。この場合、選択用スイッチによるパッドの選択の操作は煩雑である。
【０００５】
本発明の目的は、複数の演奏操作子のパラメータ値を簡単な操作で個別に設定することが可能な電子打楽器およびパラメータ値設定方法を提供することである。
【課題を解決するための手段】
【０００６】
本発明に係る電子打楽器は、複数の演奏操作子と、複数の演奏操作子への各々の操作を入力情報として検出する検出手段と、検出された入力情報に基づいて、操作された演奏操作子を当該演奏操作子に関するパラメータ値の設定対象とするか否かを判定する判定手段と、演奏操作子に関するパラメータ値を受け付ける受付手段と、受け付けられたパラメータ値を設定対象とされた演奏操作子のパラメータ値として設定する設定手段とを備える。
【０００７】
その電子打楽器においては、使用者が複数の演奏操作子のうち任意の演奏操作子を操作すると、操作した演奏操作子への操作が入力情報として検出される。検出された入力情報に基づいて、操作された演奏操作子を当該演奏操作子に関するパラメータ値の設定対象とするか否かが判定される。操作された演奏操作子がパラメータ値の設定対象として判定された後、使用者により与えられたパラメータ値が受け付けられ、受け付けられたパラメータ値が設定対象とされた演奏操作子のパラメータ値として設定される。
【０００８】
それにより、使用者は、任意の演奏操作子を操作することにより、操作した演奏操作子をパラメータ値の設定対象として選択し、パラメータ値を与えることにより設定対象の演奏操作子のパラメータ値を設定することができる。この場合、パラメータ値の設定対象を簡単な操作で選択することができる。したがって、複数の演奏操作子のパラメータ値を簡単な操作で個別に設定することが可能となる。
【０００９】
入力情報は、演奏操作子への操作の強さを示す情報であってもよい。この場合、使用者は、所定の強さで演奏操作子を操作することによりパラメータ値の設定対象を簡単な操作で選択することができる。
【００１０】
判定手段は、入力情報により示される強さが第１の基準以上である場合に入力情報に基づく発音指示を生成し、入力情報により示される強さが第１の基準よりも高い第２の基準以上である場合に操作された演奏操作子を当該演奏操作子に関するパラメータ値の設定対象と判定してもよい。この場合、操作された演奏操作子から他の演奏操作子が影響を受けた場合に、他の演奏操作子がパラメータ値の設定対象と判定されることが防止される。
【００１１】
電子打楽器は、複数の演奏操作子についてそれぞれ設定されたパラメータ値の組を記憶する記憶手段をさらに備えてもよい。この場合、記憶手段に記憶されたパラメータ値の組を用いて複数の演奏操作子のパラメータ値を一括して設定することが可能となる。
【００１２】
本発明に係る電子打楽器のパラメータ値設定方法は、複数の演奏操作子を備えた電子打楽器のパラメータ値設定方法であって、複数の演奏操作子への各々の操作を入力情報として検出するステップと、検出された入力情報に基づいて、操作された演奏操作子を当該演奏操作子に関するパラメータ値の設定対象とするか否かを判定するステップと、演奏操作子に関するパラメータ値を受け付けるステップと、受け付けられたパラメータ値を設定対象とされた演奏操作子のパラメータ値として設定するステップとを含む。
【００１３】
その電子打楽器のパラメータ値の設定方法によれば、使用者は、任意の演奏操作子を操作することにより、操作した演奏操作子をパラメータ値の設定対象として選択し、パラメータ値を与えることにより設定対象の演奏操作子のパラメータ値を設定することができる。この場合、パラメータ値の設定対象を簡単な操作で選択することができる。したがって、複数の演奏操作子のパラメータ値を簡単な操作で個別に設定することが可能となる。
【発明の効果】
【００１４】
本発明によれば、複数の演奏操作子のパラメータ値を簡単な操作で個別に設定することが可能となる。
【図面の簡単な説明】
【００１５】
【図１】本発明の一実施の形態に係る電子打楽器の構成を示すブロック図である。
【図２】図１の電子打楽器の外観構成を示す模式的平面図である。
【図３】感度値設定処理部の機能的な構成を示すブロック図である。
【図４】電子打楽器における感度値設定処理を示すフローチャートである。
【発明を実施するための形態】
【００１６】
以下、本発明の実施の形態に係る電子打楽器およびその動作方法について図面を用いて詳細に説明する。
【００１７】
（１）電子打楽器の構成
図１は本発明の一実施の形態に係る電子打楽器の構成を示すブロック図である。図１の電子打楽器１は、例えば電子ドラムキットである。図１の電子打楽器１によれば、使用者は楽曲データに基づいて再生される楽曲を聞きながら演奏を行うことができる。楽曲は、例えばドラムのパートを除く複数の楽器のパートを含む自動演奏曲である。
【００１８】
電子打楽器１は、演奏操作部２、検出回路３、設定操作部４、検出回路５、ディスプレイ６および表示回路７を備える。演奏操作部２は、複数の演奏操作子を含む。本実施の形態では、各演奏操作子に関するパラメータ値は各演奏操作子の感度値（入力感度値）である。
【００１９】
複数の演奏操作子は、検出回路３を介してバス１９に接続される。本実施の形態では、複数の演奏操作子は、後述する図２の複数のパッドＰＡおよび複数のペダルＰＥである。演奏操作部２の詳細については後述する。検出回路３は、複数のパッドＰＡおよび複数のペダルＰＥに対応する複数のピエゾ素子等の圧電センサおよび複数のＡ／Ｄ（アナログ／デジタル）変換器を含む。各圧電センサは、演奏者により各パッドＰＡに加えられる打撃の強さまたは各ペダルＰＥが踏まれる強さを表す電気信号を出力する。各Ａ／Ｄ変換器は、対応する圧電センサから出力される電気信号をデジタル値に変換する。検出回路３は、複数のＡ／Ｄ変換器から出力されるデジタル値をバス１９に出力する。以下、検出回路３から出力される各演奏操作子に対応するデジタル値を検出値と呼ぶ。本実施の形態では、各演奏操作子に対応する検出値が各演奏操作子の操作の強さを示す入力情報として用いられる。
【００２０】
設定操作部４は、複数の設定操作子を含む。複数の設定操作子は、オンオフ操作されるスイッチ、および回転操作されるダイヤル等を含み、検出回路５を介してバス１９に接続される。本実施の形態では、複数の設定操作子は、後述する図２のダイヤルＳ１、曲スイッチＳ２、機能選択スイッチＳ３、開始／停止スイッチＳ４および設定スイッチＳ５等を含む。検出回路５は、複数の設定操作子の状態を示す信号をバス１９に与える。
【００２１】
ディスプレイ６は、表示回路７を介してバス１９に接続される。ディスプレイ６には、曲名、感度値等のパラメータ値、またはその他の各種情報が表示される。ディスプレイ６がタッチパネルディスプレイであってもよい。この場合、使用者は、ディスプレイ６を操作することにより各種操作を指示することができる。
【００２２】
電子打楽器１は、ＲＡＭ（ランダムアクセスメモリ）９、ＲＯＭ（リードオンリメモリ）１０、ＣＰＵ（中央演算処理装置）１１、タイマ１２および記憶装置１３をさらに備える。ＲＡＭ９、ＲＯＭ１０、ＣＰＵ１１および記憶装置１３はバス１９に接続され、タイマ１２はＣＰＵ１１に接続される。外部記憶装置１５等の外部機器が通信Ｉ／Ｆ（インタフェース）１４を介してバス１９に接続されてもよい。なお、図２のペダルＰＥが通信Ｉ／Ｆ１４に接続されてもよい。ＲＡＭ９、ＲＯＭ１０、ＣＰＵ１１およびタイマ１２が図３の感度値設定処理部１００を構成する。
【００２３】
ＲＡＭ９は、例えば揮発性メモリからなり、ＣＰＵ１１の作業領域として用いられるとともに、各種データを一時的に記憶する。ＲＯＭ１０は、例えば不揮発性メモリからなり、システムプログラムおよび感度値設定プログラム等のコンピュータプログラムを記憶するとともに感度値等のパラメータ値を記憶する。ＣＰＵ１１は、ＲＯＭ１０に記憶された感度値設定プログラムをＲＡＭ９上で実行することにより後述する感度値設定処理を行う。タイマ１２は、現在時刻等の時間情報をＣＰＵ１１に与える。
【００２４】
記憶装置１３は、ハードディスク、光学ディスク、磁気ディスクまたはメモリカード等の記憶媒体を含む。この記憶装置１３には、一または複数の楽曲の楽曲データが記憶される。楽曲データは、楽曲を表す音響信号（オーディオデータ）である。ここで、音響信号は、音の変化を表す波形信号を所定のサンプリング周期でサンプリングすることにより得られる複数のサンプリング値からなる。検出回路３から出力される検出値に基づいて楽曲データが生成され、記憶装置１３に記憶されてもよい。上記の感度値設定プログラムが記憶装置１３に記憶されてもよい。また、感度値等のパラメータ値が記憶装置１３に記憶されてもよい。
【００２５】
外部記憶装置１５は、記憶装置１３と同様に、ハードディスク、光学ディスク、磁気ディスクまたはメモリカード等の記憶媒体を含み、楽曲データ等の各種データまたは感度値設定プログラムを記憶してもよい。
【００２６】
なお、本実施の形態における感度値設定プログラムは、コンピュータが読み取り可能な記録媒体に格納された形態で提供され、ＲＯＭ１０または記憶装置１３にインストールされてもよい。また、通信Ｉ／Ｆ１４が通信網に接続されている場合、通信網に接続されたサーバから配信された感度値設定プログラムがＲＯＭ１０または記憶装置１３にインストールされてもよい。
【００２７】
電子打楽器１は、音源１６、効果回路１７およびサウンドシステム１８をさらに備える。音源１６および効果回路１７はバス１９に接続され、サウンドシステム１８は効果回路１７に接続される。音源１６は、検出回路３から出力される検出値、または記憶装置１３から与えられる楽曲データ等に基づいて音響信号である楽音信号を生成する。効果回路１７は、音源１６により生成される楽音信号に音響効果を付与する。
【００２８】
サウンドシステム１８は、デジタルアナログ（Ｄ／Ａ）変換回路、増幅器およびスピーカを含む。このサウンドシステム１８は、音源１６から効果回路１７を通して与えられる楽音信号をアナログ音信号に変換し、アナログ音信号に基づく音を発生する。それにより、楽曲および演奏音が再生される。
【００２９】
（２）電子打楽器１の外観構成
図２は図１の電子打楽器１の外観構成を示す模式的平面図である。図２に示すように、電子打楽器１は本体部２００を有する。本体部２００の上面に、複数の演奏操作子として複数のパッドＰＡが設けられ、複数の設定操作子としてダイヤルＳ１、曲スイッチＳ２、機能選択スイッチＳ３、開始／停止スイッチＳ４および設定スイッチＳ５等が設けられる。本体部２００の上面の中央部にはディスプレイ６が設けられる。また、本体部２００には、複数の演奏操作子として複数のペダルＰＥが接続される。
【００３０】
本実施の形態では、複数のパッドＰＡとして８個のパッドＰＡ１〜ＰＡ８が設けられ、複数のペダルＰＥとして２個のペダルＰＥ１，ＰＥ２が接続される。パッドＰＡ１〜ＰＡ８には、例えば、スネア、ハイハット、バスドラム、ロータム、ミドルタム、クラッシュシンバル、ライドシンバル等の音色を割り当てることができる。ペダルＰＥ１，ＰＥ２には、例えば、ハイハットペダル、ドラムペダル等の機能を割り当てることができる。複数のパッドＰＡおよび複数のペダルＰＥの下面には、それぞれ弾性体を介して図１の検出回路３の圧電センサが取り付けられる。ダイヤルＳ１、曲スイッチＳ２、機能選択スイッチＳ３、開始／停止スイッチＳ４および設定スイッチＳ５は、図１の検出回路５に電気的に接続される。
【００３１】
（３）感度値設定処理部の機能的な構成
図３は感度値設定処理部の機能的な構成を示すブロック図である。図３の感度値設定処理部１００は、入力情報取得部１１０、有効入力情報判定部１２０、設定対象判定部１３０、感度値設定制御部１５０、感度値取得部１６０、感度値設定部１７０および感度値セット保存／取得部１８０を含む。図１のＣＰＵ１１がＲＯＭ１０または記憶装置１３に記憶された感度値設定プログラムを実行することにより感度値設定処理部１００の各部の機能が実現される。
【００３２】
入力情報取得部１１０は、演奏操作部２の各演奏操作子の操作に基づいて検出回路３から出力される検出値を入力情報として取得する。検出値が第１のしきい値以上である場合に発音が行われる。有効入力情報判定部１２０は、入力情報取得部１１０により取得された入力情報が有効入力情報であるか否かを判定する。有効入力情報判定部１２０は、検出値が第１のしきい値よりも高い第２のしきい値以上である場合に、入力情報が有効入力情報であると判定する。それにより、操作された演奏操作子の振動の影響を受けて他の演奏操作子が振動した場合に他の演奏操作子が操作されたと誤判定されることが防止される。
【００３３】
設定対象判定部１３０は、有効入力情報判定部１２０の判定結果に基づいて感度値の設定対象となる演奏操作子を対象演奏操作子として判定する。感度値設定制御部１５０は、設定操作部４の設定操作子の操作に基づいて入力情報取得部１１０、感度値取得部１６０、感度値設定部１７０および感度値セット保存／取得部１８０を制御する。感度値取得部１６０は、設定操作部４のダイヤルＳ１により調整された感度値を取得する。感度値設定部１７０は、感度値取得部１６０により取得された感度値を設定対象判定部１３０により判定された対象演奏操作子の感度値として設定する。具体的には、感度値設定部１７０は、対象演奏操作子の感度値をＲＯＭ１０に記憶させる。
【００３４】
感度値セット保存／取得部１８０は、設定操作部４の機能選択スイッチＳ３の操作に基づいて、感度値セットを記憶装置１３に保存し、または記憶装置１３に保存された感度値セットを取得する。ここで、感度値セットとは、複数の演奏操作子に設定された感度値の組である。本実施の形態では、図２の複数のパッドＰＡ１〜Ｐ６および複数のペダルＰＥ１，ＰＥ２の感度値に設定された組である。記憶装置１３には一または複数の感度値セットを保存することができる。
【００３５】
このようにして、操作された演奏操作子の振動の影響を受けて他の演奏操作子が振動した場合に他の演奏操作子が操作されたと誤判定されることが防止される。
【００３６】
（４）感度値設定処理
図４は電子打楽器１における感度値設定処理を示すフローチャートである。図４の感度値設定処理は、図１のＣＰＵ１１がＲＯＭ１０または記憶装置１３に記憶された感度値設定プログラムを実行することにより行われる。
【００３７】
図３の感度値設定制御部１５０は、機能選択スイッチＳ３により感度値設定処理が選択されたときに感度値設定処理を開始する。入力情報取得部１１０は、検出回路３から出力される検出値を入力情報として取得する（ステップＳ１）。例えば、使用者がパッドＰＡ１を打撃すると、打撃の強さに応じた検出値の変化が入力情報として取得される。このとき、例えばパッドＰＡ５がパッドＰＡ１の振動の影響を受けて振動する。それにより、パッドＰＡ５の振動による検出値の変化も入力情報として取得される。
【００３８】
有効入力情報判定部１２０は、取得された入力情報が有効入力情報であるか否かを判定する（ステップＳ２）。上記の例では、パッドＰＡ１の打撃による入力情報が有効入力情報と判定され、パッドＰＡ１の振動の影響を受けたパッドＰＡ５の振動による入力情報は有効入力情報と判定されない。次に、設定対象判定部１３０は、有効入力情報に対応する演奏操作子を対象演奏操作子と判定する（ステップＳ３）。上記の例では、パッドＰＡ１が対象演奏操作子と判定される。
【００３９】
その後、感度値取得部１６０は、ＲＯＭ１０に設定されている対象演奏操作子の現在の感度値を取得し（ステップＳ４）、取得した現在の感度値をディスプレイ６に表示させる（ステップＳ５）。この状態で、使用者は、ダイヤルＳ１を操作することにより感度値を調整することができる。感度値設定制御部１５０は、ダイヤルＳ１が操作されたか否かを判定する（ステップＳ６）。ダイヤルＳ１が操作された場合には、感度値取得部１６０は、調整後の感度値を検出回路５を通して取得し、調整後の感度値をディスプレイ６に表示させる（ステップＳ７）。
【００４０】
感度値設定制御部１５０は、設定スイッチＳ５が操作されたか否かを判定する（ステップＳ８）。設定スイッチＳ５が操作されていない場合には、感度値設定制御部１５０はステップＳ６に戻る。ステップＳ６でダイヤルＳ１が操作されない場合には、感度値設定制御部１５０はステップＳ８に進む。
【００４１】
ステップＳ８で設定スイッチＳ５が操作された場合には、感度値設定部１７０は調整後の感度値をＲＯＭ１０に設定する（ステップＳ９）。この場合、ＣＰＵ１１は、調整後の感度値に基づいて検出回路３において対象演奏操作子の感度を設定する。上記の例では、パッドＰＡ１の感度値が設定される。
【００４２】
次に、感度値設定制御部１５０は、機能選択スイッチＳ３により感度値セットの保存が指示されたか否かを判定する（ステップＳ１０）。機能選択スイッチＳ３により感度値セットの保存が指示されない場合には、感度値設定制御部１５０はステップＳ１２に進む。
【００４３】
ステップＳ１２において、感度値設定制御部１５０は、機能選択スイッチＳ３により感度値設定処理の終了が指示された否かを判定する（ステップＳ１２）。感度値設定処理の終了が指示されていない場合には、感度値設定制御部１５０はステップＳ１に進み、ステップＳ１〜１２の処理が行われる。それにより、使用者は、複数のパッドＰＡ１〜ＰＡ８および複数のペダルＰＥ１，ＰＥ２の感度値を個別に調整および設定することができる。
【００４４】
ステップＳ１０において感度値セットの保存が指示された場合には、感度値セット保存／取得部１８０は、複数の演奏操作子の感度値の組を感度値セットとして記憶装置１３に保存する（ステップＳ１１）。感度値セット保存／取得部１８０は、機能選択スイッチＳ３の操作に基づいて記憶装置１３に記憶された感度値セットのいずれかを取得することができる。この場合、感度値設定部１７０は、取得した感度値セットの複数の感度値をＲＯＭ１０に一括して設定することができる。ＣＰＵ１１は、ＲＯＭ１０に設定された感度値セットに基づいて検出回路３において複数の演奏操作子の感度を設定する。
【００４５】
使用者が曲スイッチＳ２を操作した後、ダイヤルＳ１により楽曲を選択し、開始／停止スイッチＳ４を操作すると、選択された楽曲が再生される。使用者は、再生される楽曲を聞きながらパッドＰＡ１〜ＰＡ８およびペダルＰＥ１，ＰＥ２を操作することにより演奏を行うことができる。
【００４６】
（５）実施の形態の効果
本実施の形態に係る電子打楽器１によれば、使用者は、任意の演奏操作子を操作することにより、操作した演奏操作子を対象演奏操作子として選択し、ダイヤルＳ１により感度値を調整することにより対象演奏操作子の感度値を設定することができる。この場合、感度値の設定対象を簡単な操作で選択することができる。したがって、複数の演奏操作子の感度値を簡単な操作で個別に設定することが可能となる。
【００４７】
また、入力情報が演奏操作子への操作の強さを示す情報であるので、使用者は、所定の強さで演奏操作子を操作することにより対象演奏操作子を簡単な操作で選択することができる。
【００４８】
さらに、入力情報が第２のしきい値以上である場合に、操作された演奏操作子が対象演奏操作子と判定されるので、対象演奏操作子の振動に影響されて他の演奏操作子が振動した場合に、他の演奏操作子が対象演奏操作子と判定されることが防止される。また、複数の演奏操作子についてそれぞれ設定された感度値の組が感度値セットとして記憶されるので、記憶された感度値セットを用いて複数の演奏操作子の感度値を一括して設定することが可能となる。
【００４９】
（６）他の実施の形態
（ａ）上記実施の形態では、複数の演奏操作子が複数のパッドＰＡおよび複数のペダルＰＥであるが、複数の演奏操作子が複数のパッドＰＡのみであってもよく、複数のペダルＰＥのみであってもよい。なお、複数のペダルＰＥのうち１つのペダルの入力情報が多数の値を有する検出値であり、他のペダルの入力情報がオンオフの二値であってもよい。
【００５０】
（ｂ）複数の演奏操作子が例えばパーソナルコンピュータまたはスマートデバイス（smart device）のタッチパネル上に表示された複数の画像であってもよい。同様に、複数の設定操作子がタッチパネル上に表示された複数の画像であってもよい。
【００５１】
（ｃ）上記実施の形態では、演奏操作子に関するパラメータ値が感度値であるが、パラメータ値は感度値に限定されず、例えばリバーブタイプ（残響効果のタイプ）を示す値であってもよい。リバーブタイプとしては、「ホール１（ＨＡＬＬ１）」、「ホール２（ＨＡＬＬ１）」、「ホール３（ＨＡＬＬ１）」、「ルーム１（ＲＯＯＭ１）」、「ルーム２（ＲＯＯＭ１）」、「ルーム３（ＲＯＯＭ１）」、「ステージ１（ＳＴＡＧＥ１）」、「ステージ２（ＳＴＡＧＥ１）」、「プレート１（ＰＬＡＴＥ１）」、「プレート２（ＰＬＡＴＥ２）」、「オフ（ＯＦＦ）」等が挙げられる。
【００５２】
（ｄ）上記実施の形態では、入力情報として検出回路３の検出値が用いられるが、入力情報はこれに限定されず、例えば、複数の演奏操作子の操作の強さを示すＭＩＤＩ（Musical Instrument Digital Interface）におけるベロシティ値が用いられてもよい。この場合、検出回路３の検出値が予め用意されたベロシティカーブ（検出値とベロシティとの関係を示す曲線）を用いてベロシティ値に変換される。ベロシティ値が第１のしきい値以上である場合に発音が行われ、第２のしきい値以上である場合に入力情報が有効入力情報であると判定される。
【００５３】
（ｅ）入力情報としてはデジタル値に限らず、アナログ信号が用いられてもよい。例えば、検出回路３の圧電センサの出力信号が第１のしきい値（アナログ電圧）以上である場合に発音が行われ、第２のしきい値以上である場合に入力情報が有効入力情報であると判定されてもよい。
【００５４】
（ｆ）上記実施の形態では、パラメータ値の調整および設定にダイヤルＳ１および設定スイッチＳ５等の設定操作子が用いられるが、本発明はこれに限定されない。例えば、対象演奏操作子の操作に続く同じ演奏操作子の操作に基づいてパラメータ値が調整および設定されてもよい。具体的には、対象演奏操作子の操作の強さの値の範囲、または対象演奏操作子の操作回数に基づいてパラメータ値が調整および設定されてもよい。例えば、パッドＰＡの打撃の強さまたは打撃の回数に基づいてパラメータ値が設定されてもよい。
【００５５】
また、電子打楽器またはスティック等に加速度センサ、速度センサ、変位センサ、角度センサ、磁気センサ、光電センサ等のセンサが設けられ、スティックの動きまたは位置をセンサを用いて検出することによりパラメータ値が調整および設定されてもよい。
【００５６】
（ｇ）上記実施の形態では、図３の感度値設定処理部１００は、ＣＰＵ１１等のハードウエアおよび感度値設定プログラム等のソフトウエアにより実現されるが、感度値設定処理部１００の各構成要素が電子回路等のハードウエアにより実現されてもよい。
【００５７】
（７）請求項の各構成要素と実施の形態の各部との対応
以下、請求項の各構成要素と実施の形態の各部との対応の例について説明するが、本発明は下記の例に限定されない。上記実施の形態におけるパッドＰＡおよびペダルＰＥが複数の演奏操作子の例であり、検出回路３が検出手段の例であり、有効入力情報判定部１２０および設定対象判定部１３０が判定手段の例であり、ダイヤルＳ１および感度値取得部１６０が受付手段の例であり、感度値設定部１７０が設定手段の例であり、感度値セット保存／取得部１８０および記憶装置１３が記憶手段の例である。また、第１のしきい値が第１の基準の例であり、第２のしきい値が第２の基準の例である。請求項の各構成要素として、請求項に記載されている構成または機能を有する他の種々の要素を用いることができる。
【符号の説明】
【００５８】
１…電子打楽器，２…演奏操作部，３，５…検出回路，４…設定操作部，６…ディスプレイ，７…表示回路，９…ＲＡＭ，１０…ＲＯＭ，１１…ＣＰＵ，１２…タイマ，１３…記憶装置，１４…通信Ｉ／Ｆ，１５…外部記憶装置，１６…音源，１７…効果回路，１８…サウンドシステム，１９…バス，１００…感度値設定処理部，１１０…入力情報取得部，１２０…有効入力情報判定部，１３０…設定対象判定部，１５０…感度値設定制御部，１６０…感度値取得部，１７０…感度値設定部，１８０…感度値セット保存／取得部，２００…本体部，ＰＡ，ＰＡ１〜ＰＡ８…パッド，ＰＥ，ＰＥ１，ＰＥ２…ペダル，Ｓ１…ダイヤル，Ｓ２…曲スイッチ，Ｓ３…機能選択スイッチ，Ｓ４…開始／停止スイッチ，Ｓ５…設定スイッチ
【図１】
2018097156.tif 000003
【図２】
2018097156.tif 000004
【図３】
2018097156.tif 000005
【図４】
2018097156.tif 000006